(57)【要約】  本発明は、機器の不良・故障が発生する前に、優先度にしたがって当該機器の修理交換を行うことを可能とする。機器の消費電力と電流波形の少なくとも一方に基づき、前記機器の劣化状況を評価し、前記劣化状況から修理又は交換対象となる機器に対して、修理又は交換の優先度を設定する。
2017047721.tif 000002
【特許請求の範囲】
【請求項１】
機器の消費電力と電流波形の少なくとも一方に基づき、前記機器の劣化状況を評価する第１の手段と、
前記劣化状況に基づき、修理又は交換対象となる機器に対して、修理又は交換の優先度を設定する第２の手段と、
を備えた、ことを特徴とする機器管理装置。
【請求項２】
前記第１の手段は、
少なくとも一つの店舗に配備された１つ又は複数の機器に対して劣化状況を評価し、
前記第２の手段は、
前記機器の劣化状況と前記店舗での前記機器の稼働率、及び、
前記機器の劣化状況と前記店舗の情報、
の少なくとも一方に基づき、
前記機器の修理又は交換の優先度を設定する、ことを特徴とする請求項１記載の機器管理装置。
【請求項３】
前記第２の手段は、
前記機器の劣化状況と前記店舗での前記機器の稼働率とに基づき、
前記店舗内での前記機器の修理又は交換の優先度を設定する、ことを特徴とする請求項２記載の機器管理装置。
【請求項４】
前記第１の手段は、
複数の店舗にそれぞれ配備された複数の機器に対して各々の劣化状況を評価し、
前記第２の手段は、
前記機器の劣化状況と前記店舗の情報、若しくは、
前記機器の劣化状況と前記機器の稼働率と、
に基づき、
複数の店舗間における前記機器の修理又は交換の優先度を設定する、ことを特徴とする請求項１乃至３のいずれか１項に記載の機器管理装置。
【請求項５】
前記店舗の情報は、前記店舗の売上高又はその予測を含む、ことを特徴とする請求項２又は４記載の機器管理装置。
【請求項６】
前記第２の手段は、さらに、消費電力に基づいて設定された機器の分類に基づいて、前記機器の修理又は交換の優先度を設定する、ことを特徴とする請求項１又は２記載の機器管理装置。
【請求項７】
前記第１の手段は、同一グループに分類される店舗のうち、少なくとも一つの他の店舗に配備される対応機器の消費電力と電流波形の少なくとも一方との比較に基づき、前記機器の劣化状況を導出する、ことを特徴とする請求項１乃至６のいずれか１項に記載の機器管理装置。
【請求項８】
前記修理又は交換対象となる機器を前記優先度とともに、前記店舗を統括する本部に送信する第３の手段をさらに備えた、ことを特徴とする請求項１乃至７のいずれか１項に記載の機器管理装置。
【請求項９】
請求項１乃至８のいずれか１項に記載の機器管理装置を備え、前記機器を設置する店舗の通信装置と通信接続するサーバ装置。
【請求項１０】
店舗の通信装置と通信接続するサーバを備え、
前記店舗の通信装置は、
前記店舗の機器の消費電力と電流波形の少なくとも一方を前記サーバに送信し、
前記サーバは、
前記店舗の通信装置から送信された前記店舗の機器の消費電力と電流波形の少なくとも一方に基づき、前記機器の劣化状況を評価する第１の手段と、
前記劣化状況に基づき、修理又は交換対象となる機器に対して、修理又は交換の優先度を設定する第２の手段と、
を備えた、ことを特徴とする機器管理システム。
【請求項１１】
前記第２の手段は、
前記機器の劣化状況と前記店舗での前記機器の稼働率、及び、
前記機器の劣化状況と前記店舗の情報、
の少なくとも一方に基づき、前記機器の修理又は交換の優先度を設定する、ことを特徴とする請求項１０記載の機器管理システム。
【請求項１２】
前記第２の手段は、
前記機器の劣化状況と前記店舗での前記機器の稼働率とに基づき、
前記店舗内での前記機器の修理又は交換の優先度を設定する、ことを特徴とする請求項１１記載の機器管理システム。
【請求項１３】
前記第２の手段は、
前記機器の劣化状況と前記店舗の情報、若しくは、
前記機器の劣化状況と前記機器の稼働率と、
に基づき、複数の店舗間における前記機器の修理又は交換の優先度を設定する、ことを特徴とする請求項１０乃至１２のいずれか１項に記載の機器管理システム。
【請求項１４】
前記店舗の情報は、前記店舗の売上高又はその予測を含む、ことを特徴とする請求項１１記載の機器管理システム。
【請求項１５】
前記第２の手段は、消費電力に基づいて設定された機器の分類に基づいて、前記機器の修理又は交換の優先度を設定する、ことを特徴とする請求項１０記載の機器管理システム。
【請求項１６】
前記第２の手段は、同一グループに分類される店舗のうち、少なくとも一つの他の店舗に配備される対応機器の消費電力と電流波形の少なくとも一方との比較に基づき、前記機器の劣化状況を導出する、ことを特徴とする請求項１０乃至１５のいずれか１項に記載の機器管理システム。
【請求項１７】
前記サーバは、前記修理又は交換対象となる機器を前記優先度とともに、前記店舗を統括する本部に送信する第３の手段を備えた、ことを特徴とする請求項１０乃至１６のいずれか１項に記載の機器管理システム。
【請求項１８】
店舗の通信装置と通信接続するサーバが、
前記通信装置から送信された、前記店舗の機器の消費電力と電流波形の少なくとも一方を取得し、
前記機器の消費電力と電流波形の少なくとも一方に基づき、前記機器の劣化状況を評価し、
前記劣化状況から、修理又は交換対象となる機器に対して、修理又は交換の優先度を設定する、ことを特徴とする機器管理方法。
【請求項１９】
機器の消費電力と電流波形の少なくとも一方の情報に基づき、前記機器の劣化状況を評価する第１の処理と、
前記劣化状況から、修理又は交換対象となる機器に対して、修理又は交換の優先度を設定する第２の処理と、
をコンピュータに実行させるプログラム。
【発明の詳細な説明】
【技術分野】
【０００１】
（関連出願についての記載）
本発明は、日本国特許出願：特願２０１５−１８２５６１号（２０１５年９月１６日出願）の優先権主張に基づくものであり、同出願の全記載内容は引用をもって本書に組み込み記載されているものとする。
本発明は、機器の管理に好適なシステム、装置と方法並びにプログラムに関する。
【背景技術】
【０００２】
コンビニエンスストア（以下、「コンビニ」と略記する）やスーパーマーケット（以下、「スーパー」と略記する）等の店舗に設置される照明設備、加熱器、空調設備、冷凍・冷蔵設備等の各機器（「電気機器」ともいう）は、例えば経年変化や機器の劣化等に応じて不良や故障が発生する。営業活動等への影響を回避するには、機器が故障する前に、当該機器の修理、交換等を行うことが好ましい。【０００３】
広範な地域に店舗展開するコンビニチェーンやスーパーチェーンの各店舗に設置される機器の修理、交換等は、一般に、店舗を統括する本部で一元管理される。例えば店舗の機器の交換は、通常、本部の管理のもとで行われる。その際、本部（管理センタ）は、店舗から機器不良等に関する連絡（通報）を受けると、例えば委託先の保守サービス事業者（ファシリティ管理会社）等を通じて、保守要員を当該店舗に派遣し、不良機器の修理、交換等を行う。【０００４】
なお、店舗、住宅、商業ビル等において、電力使用量の可視化、節電のための機器制御等を行うエネルギー管理システム（Ｅｎｅｒｇｙ  Ｍａｎａｇｅｍｅｎｔ  Ｓｙｓｔｅｍ：ＥＭＳ）が製品化されている。例えば住宅向けＥＭＳはＨＥＭＳ（Ｈｏｍｅ  ＥＭＳ）、商用ビル向けＥＭＳはＢＥＭＳ（Ｂｕｉｌｄｉｎｇ  ＥＭＳ）とも称せられている。【０００５】
店舗等のエネルギー管理に関連して、例えば特許文献１には、店舗の消費電力を効率的に抑制する電力管理サーバが開示されている。この電力管理サーバは、店舗の消費電力又は設置された電気機器の消費電力を取得する消費電力取得手段と、取得した消費電力情報に基づいて消費電力低減を目的とした報知、或いは電気機器の運転制御を行う管理手段とを備え、店舗でのＰＯＳ（Ｐｏｉｎｔ  Ｏｆ  Ｓａｌｅ）情報を取得する情報取得手段と、ＰＯＳ情報及び消費電力情報を互いに関連付けして記憶する記憶装置とを備え、該記憶装置に記憶されている過去のＰＯＳ情報と消費電力情報の関連性に基づき、逐次取得されるＰＯＳ情報から店舗での以後の消費電力を予想する消費電力予測手段を備えている。【０００６】
また、特許文献２には、階段状の変化や瞬間的な高電力波形等、電力波形の特徴的な変化を利用して電気機器の状態を判別することで、電力測定装置を備えていない電気機器についても、動作していない期間や消費電力の少ない期間を判別することが記載されている。【０００７】
非特許文献１、２には、分電盤の主幹に流れる電流波形を測定してクラウドサーバに転送し、観測し、クラウドサーバ上で機械学習等によって学習した分離器等により機器毎に波形を分離し、機器毎の消費電力量や機器毎のオン、オフを推定する機器分離技術が開示されている。【０００８】
非特許文献３には、店舗設備の異常や故障の兆候を各センサやカメラ等で検知し、遠隔地のオフィスへアラームで通知し、店内設備の稼働状況を見える化し、迅速な修理対応を可能とした事例が開示されている。【０００９】
非特許文献４には、冷凍機の気温と消費電力の関係（プロファイリング）の例として、気温に応じて電力が急増する場合（低効率）は、機器の老朽化、室外機環境の悪化等が挙げられ、気温の変化に対して電力一定の場合（常にフル稼働状態）、冷凍機の容量不足、室外機環境の悪化等が挙げられている。
【先行技術文献】
【特許文献】
【００１０】
【特許文献１】特開２０１２−１６８６７５号公報
【特許文献２】国際公開第２０１１／０６７９８８号
【非特許文献】
【００１１】
【非特許文献１】“機器分離技術を活用したサービスの東京電力との共同実証について”、インフォメティス株式会社、［平成２７年８月２４日検索］インターネット（URL:http://prtimes.jp/main/html/rd/p/000000001.000012366.html）
【非特許文献２】“圧倒的低コストで家電機器ごとの電力見える化を実現する新型ＨＥＭＳホーム分電盤を発売”、日東工業株式会社、平成２６年１２月２５日、［平成２７年８月２４日検索］インターネット（URL:http://www.nito.co.jp/IR/pdf/z1412-5.pdf）
【非特許文献３】“コンビニ最大手、ＩＣＴで節電強化”、［平成２７年８月２４日検索］  インターネット（URL:http://jpn.nec.com/energy/features/31/contents2.html）
【非特許文献４】“スマートコンビニのためのネットワークシステムの開発と店舗実装（セブンイレブン・ジャパン、産総研）”、（独）産業技術総合研究所  藤本  淳、［平成２７年８月２４日検索］インターネット（URL:http://www.nmems.or.jp/gsnpj/progress/20150226/2-1.pdf）
【発明の概要】
【発明が解決しようとする課題】
【００１２】
各店舗に設置される機器の保守、交換等の管理を、多数の店舗を統括する本部で実施する場合、店舗ごとに設置される機器が多数であることや、多数の店舗を管理する必要があることから、ある店舗で機器不良等が発生したとき、ただちに当該機器の修理、交換等を行うことができない、という事態が生じ得る。また、本部で、複数の店舗から同時あるいは同日に機器不良、故障等の通知を受けた場合において、当該複数の店舗に対して、一度に、機器の交換や修理等を行うことができないという事態も起こり得る。店舗における突然の機器の不良・故障は、営業上の損害となるが、不良機器の修理、交換の遅延（機器の復旧の遅延）は、さらなる損失を与える場合もある。【００１３】
したがって、店舗等では、機器の不良、故障等が発生する前に、該当する機器を適確に修理、交換の対象とすることが好ましい。さらに、不良、故障等の機器に対して、どの機器を優先して修理、交換等を行うかに関する情報等を提供することも望まれる。【００１４】
本発明は、上記課題に鑑みて創案されたものであって、その目的の一つは、機器の不良・故障が発生する前に、当該機器の修理、交換を適確に行うことを可能とした機器管理システム、装置、方法、及びプログラムを提供することにある。
【課題を解決するための手段】
【００１５】
本発明の一つの側面によれば、機器の消費電力と電流波形の少なくとも一方に基づき、前記機器の劣化状況を評価する第１の手段と、前記劣化状況から、修理又は交換対象となる機器に対して、修理又は交換の優先度を設定する第２の手段と、を備えた機器管理装置が提供される。【００１６】
本発明の別の側面によれば、店舗の通信装置と通信接続するサーバを備え、前記店舗の通信装置は、前記店舗の機器の消費電力と電流波形の少なくとも一方を前記サーバに送信し、前記サーバは、前記店舗の通信装置から送信された前記店舗の機器の消費電力と電流波形の少なくとも一方に基づき、前記機器の劣化状況を評価する第１の手段と、前記劣化状況から、修理又は交換対象となる機器に対して、修理又は交換の優先度を設定する第２の手段と、を備えた機器管理システムが提供される。【００１７】
本発明の一つの側面によれば、店舗の通信装置と通信接続するサーバが、前記通信装置から送信された、前記店舗の機器の消費電力と電流波形の少なくとも一方を取得し、
前記機器の消費電力と電力波形の少なくとも一方に基づき、前記機器の劣化状況を評価し、前記劣化状況から、修理又は交換対象となる機器に対して、修理又は交換の優先度を設定する機器管理方法が提供される。【００１８】
本発明の一つの側面によれば、機器の消費電力と電流波形の少なくとも一方の情報に基づき、前記機器の劣化状況を評価する第１の処理と、
前記劣化状況から、修理又は交換対象となる機器に対して、修理又は交換の優先度を設定する第２の処理と、をコンピュータに実行させるプログラムが提供される。【００１９】
本発明によれば、上記プログラムを記録したコンピュータ読み出し可能な記録媒体（半導体メモリ、磁気記録媒体、ＣＤ（Ｃｏｍｐａｃｔ  Ｄｉｓｃ）−ＲＯＭ（Ｒｅａｄ  Ｏｎｌｙ  Ｍｅｍｏｒｙ）等）が提供される。
【発明の効果】
【００２０】
本発明によれば、機器の不良・故障が発生する前に、当該機器の修理、交換を適確に行うことを可能としている。
【図面の簡単な説明】
【００２１】
【図１】本発明の例示的な実施形態のシステム構成を例示する図である。
【図２】（Ａ）は本発明の例示的な一実施形態の店舗の一例を例示する図である。（Ｂ）乃至（Ｅ）は機器分離技術を説明する図である。
【図３】（Ａ）は本発明の例示的な別の実施形態の店舗を例示する図である。（Ｂ）は本発明の例示的なさらに別の実施形態の店舗を例示する図である。
【図４】本発明の例示的な一実施形態のサーバを例示する図である。
【図５】（Ａ）、（Ｂ）は本発明の例示的な一実施形態のサーバの構成の一例と別の例を例示する図である。
【図６】本発明の例示的な実施形態のサーバの記憶部の情報の一例を例示する図である。
【図７】本発明の例示的な第１の実施形態のサーバの処理を例示する図である。
【図８】図７の劣化状況評価の処理を例示する図である。
【図９】本発明の基本概念を例示する図である。
【発明を実施するための形態】
【００２２】
以下では、本発明の基本概念を説明し、つづいて例示的な実施形態について説明する。図９は、本発明の基本概念を例示する図である。図９を参照すると、機器管理装置１００は、機器の消費電力と電流波形の少なくとも一方に基づき、前記機器の劣化状況を評価する評価部（第１の手段）１０１と、前記劣化状況から、修理又は交換対象となる機器に対して、修理又は交換の優先度を設定する優先度設定部（第２の手段）１０２と、を備えている。本発明によれば、機器の不良・故障が発生する前に、機器に設定された修理又は交換の優先度にしたがって、当該機器の修理、交換を適確に行うことを可能としている。
【００２３】
以下の例示的な実施形態では、機器管理装置１００を、エネルギー管理システム（ＥＭＳ）のサーバ等に実装した例について説明するが、機器管理装置１００の実装は、サーバに限定されるものでないことは勿論である。
【００２４】
図１は、本発明の例示的な一実施形態のシステムを模式的に例示する図である。図１を参照すると、コンビニやスーパー等の店舗２０に設置される通信装置２１は、例えばインターネット等のネットワークを介してサーバ１０に接続される。なお、図１において、サーバ１０はＥＭＳ（Ｅｎｅｒｇｙ  Ｍａｎａｇｅｍｅｎｔ  Ｓｙｓｔｅｍ）クラウドサービスを提供することから、以下では、ＥＭＳクラウドサーバ１０と称する。ただし、本発明において、サーバ１０は、クラウドサービスを提供するサーバにのみ制限されるものでないことは勿論である。ＥＭＳクラウドサーバ１０が、図９の機器管理装置１００を備えることで、コンビニやスーパー等の店舗に設置される機器の不良・故障が発生する前に、優先度にしたがって当該機器の修理、交換を行うことを可能としている。
【００２５】
店舗２０の通信装置２１は、ゲートウェイあるいはＨＥＭＳコントローラ（あるいはＨＥＭＳ端末）等を備えた構成としてもよい。
【００２６】
本実施形態において、店舗２０の通信装置２１をＨＥＭＳコントローラで構成し、該ＨＥＭＳコントローラが不図示のモバイルネットワークを介してインターネット上のＥＭＳクラウドサーバ１０に接続するようにしてもよい。この場合、通信装置２１とＥＭＳクラウドサーバ１０間は、例えばＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）を利用したＶＰＮ（Ｖｉｒｔｕａｌ  Ｐｒｉｖａｔｅ  Ｎｅｔｗｏｒｋ）で接続するようにしてもよい。通信装置２１は、店舗２０の消費電力又は電流波形を、ＥＭＳクラウドサーバ１０に送信する。
【００２７】
本実施形態において、店舗２０の通信装置２１を、例えばＳＭＡ（Ｓｍａｒｔ  Ｍｅｔｅｒ  Ａｐｐｌｉｃａｔｉｏｎ）認証取得済みのＨＥＭＳコントローラで構成し、スマートメータ３１の検針データ（消費電力量等）をＢルートから取得するようにしてもよい。なお、通信装置２１とスマートメータ３１間のＢルートとして、例えば９２０ＭＨｚ（Ｍｅｇａ  Ｈｅｒｚ）帯のＷｉ−ＳＵＮ（Ｗｉｒｅｌｅｓｓ  Ｓｍａｒｔ  Ｕｔｉｌｉｔｙ  Ｎｅｔｗｏｒｋ）等の無線伝送を用いてもよい。通信装置２１は、スマートメータ３１からＢルートを介してリアルタイム（例えば３０秒毎）で検針データ（消費電力量等）を取得可能である。スマートメータ３１からＢルートを介して通信装置２１に送信される検針データは、店舗２０全体の消費電力（電力使用量）を含む。
【００２８】
また、店舗２０内の分電盤や機器（不図示）等が、自装置での消費電力、電流を検出する検出機能と、Ｗｉ−ＳＵＮ等の通信機能を備えている場合、通信装置２１は、無線ＬＡＮ（Ｌｏｃａｌ  Ａｒｅａ  Ｎｅｔｗｏｒｋ）ブロードバンドルータ等を備えた構成としてもよい。例えば分電盤の複数の分岐ブレーカについて分岐ブレーカ毎に、電流検出装置（電流センサ）を備え、電流検出装置から、通信装置２１に無線伝送で電流波形データを送信する構成としてもよい。あるいは、電流検出装置を分電盤の主幹ブレーカに設置され、分電盤の主幹に流れる電流を検出するようにしてもよい。
【００２９】
本実施形態において、ＥＭＳクラウドサーバ１０は、それぞれの店舗２０の通信装置２１から、当該店舗２０での消費電力又は電流波形のデータを取得し、機器毎の消費電力又は電流波形データから機器の劣化状況を評価し、劣化状況にある機器を推定するようにしてもよい。
【００３０】
ＥＭＳクラウドサーバ１０は、劣化状況にあると判断した機器に関して、その交換・修理を、例えば、店舗２０内での、当該機器の稼働率、あるいは、売上高又はその予測値等の店舗情報等に基づき、優先度を設定するようにしてもよい。
【００３１】
コンビニ又はスーパーチェーンの本部４０（管理センタ）の通信装置（不図示）は、ＥＭＳクラウドサーバ１０から交換・修理対象機器の情報の提供を受ける。本部４０（管理センタ）では、交換・修理対象機器の優先度情報等に基づき、修理、交換を行う機器を備えた店舗２０を選択し、保守サービス業者５０に、対象店舗での機器の修理、交換作業を依頼するようにしてもよい。なお、本部４０では、複数の店舗２０の消費電力を一元管理し、電力供給事業主３０に、各店舗２０の電気料金を支払うようにしてもよい。
【００３２】
（例１）
図２（Ａ）は、図１の店舗２０の構成の一例を模式的に例示する図である。図２（Ａ）を参照すると、店舗２０において、通信装置２１をＨＥＭＳコントローラで構成し、スマートメータ３１の検針データ（消費電力等）をＢルートから取得する。ＨＥＭＳコントローラがスマートメータ３１からＢルートで取得する検針データ（消費電力等）は、店舗２０全体の消費電力に関する情報を含む。また、分電盤２２の主幹又は少なくとも１つの分岐ブレーカ(不図示)に、主幹又は分岐ブレーカに流れる電源電流を検出する電流センサ（ＣＴ：Ｃｕｒｒｅｎｔ  Ｔｒａｎｓｆｏｒｍｅｒ）２３を備え、電流センサ２３から、通信装置２１に無線伝送で電流波形データを送信するようにしてもよい。電流センサ２３は、零相変流器（Ｚｅｒｏ−ｐｈａｓｅ−ｓｅｑｕｅｎｃｅ  Ｃｕｒｒｅｎｔ  Ｔｒａｎｓｆｏｒｍｅｒ：ＺＣＴ）や、ホール素子等で構成してもよい。電流センサ２３は、不図示のアナログデジタル変換器で電流波形（アナログ信号）をサンプリングしてデジタル信号に変換し、不図示の符号化器で圧縮符号化した上で、通信装置２１に対して、Ｗｉ−ＳＵＮ等により、無線伝送するようにしてもよい。なお、図２では、単に図面作成の都合で、分電盤２２の１つの分岐に、機器２４Ａ〜２４Ｃが接続し、当該分岐に電流センサ２３を１つ接続した構成が図示されているが、複数の分岐ブレーカに複数の電流センサ２３をそれぞれ接続してもよいことは勿論である。
【００３３】
図２（Ｂ）は、図２（Ａ）の分電盤２２の不図示の主幹又は分岐ブレーカに接続された電流センサ２３で取得された電流波形（電源電流波形）を例示する図である。ＥＭＳクラウドサーバ１０は、図２（Ｂ）の電流波形データから、分電盤の分岐ブレーカに接続する各機器２４Ａから２４Ｃの電流波形（図２（Ｃ）〜図２（Ｅ））に分離する。ＥＭＳクラウドサーバ１０では、機器毎の電流波形の分離にあたり、例えば非特許文献１、２等に記載された機器分離技術等を用いてもよい。
【００３４】
（例２）
図３（Ａ）は、図１の店舗２０の別の構成例を例示する図である。図３（Ａ）の例では、各機器２４Ａ〜２４Ｃは、それぞれスマートタップ２５Ａ〜２５Ｃに接続されている。スマートタップ２５Ａ〜２５Ｃは、機器２４Ａ〜２４Ｃと、不図示の宅内コンセント間に配置され、電流、電圧を検知して消費電力を計算し、無線通信にて通信装置２１に送信する。なお、通信装置２１をＨＥＭＳコントローラで構成し、スマートメータ３１の検針データ（消費電力等）をＢルートから取得する構成としてもよい。ＨＥＭＳコントローラがスマートメータ３１からＢルートで取得する検針データ（消費電力量等）は、店舗２０全体の消費電力量に関する情報を含む。
【００３５】
通信装置２１は、スマートメータ３１から取得した店舗２０全体の消費電力量、各スマートタップ２５Ａ〜２５Ｃから取得した消費電力量、電流波形を、ＥＭＳクラウドサーバ１０に送信するようにしてもよい。
【００３６】
ＥＭＳクラウドサーバ１０では、図２（Ａ）の構成のように、全体の電流波形（図２（Ｂ））から、店舗２０における各機器２４Ａ〜２４Ｃの電流波形に分離することは不要とされる。
【００３７】
（例３）
図３（Ｂ）は、図１の店舗２０の別の構成例を例示する図である。図３（Ｂ）の例では、各機器２６Ａ〜２６Ｃは、それぞれ電力計測機能及び通信機能付きの機器とされている。機器２６Ａ〜２６Ｃは、各機器における電流、電圧を検知し消費電力（瞬時電力又は有効電力）を計算し、電流波形、消費電力を無線通信にて通信装置２１に送信する。なお、通信装置２１をＨＥＭＳコントローラで構成し、スマートメータ３１の検針データ（消費電力等）をＢルートから取得する構成としてもよい。ＨＥＭＳコントローラがスマートメータ３１からＢルートで取得する検針データ（消費電力等）は、店舗２０全体の消費電力量に関する情報を含む。
【００３８】
この例の場合も、ＥＭＳクラウドサーバ１０では、図２（Ａ）の構成のように、全体の電流波形（図２（Ｂ））から、店舗２０における各機器２４Ａ〜２４Ｃの電流波形に分離することは不要とされる。なお、店舗２０内において、例１、例２、例３の機器が混在する構成としてもよい。例えば、分電盤の分岐ブレーカに接続する機器が、図２（Ａ）の機器と、図３（Ａ）の機器（スマートタップを介して接続する機器）、図３（Ｂ）の機器（電力計測機能、通信機能付きの機器）を含む構成としてもよい。
【００３９】
図４は、ＥＭＳクラウドサーバ１０の構成例を模式的に例示する図である。図４を参照すると、ＥＭＳクラウドサーバ１０は、情報取得部１１、評価部１２、優先度設定部１３、結果報告部１４、記憶部１５、記憶管理部１６、通信部１７、制御部１８を備えている。
【００４０】
通信部１７は、複数の店舗２０の通信装置（図１の２１）及び本部４０の通信装置（不図示）とインターネット６０等のネットワークを介して通信接続する。
【００４１】
情報取得部１１は、通信装置２１から送信された消費電力、電流波形データを取得する。情報取得部１１は、店舗２０における機器の稼働状態等の情報を、通信装置２１から取得するようにしてもよい。
【００４２】
評価部１２は、店舗２０の通信装置２１から送信された消費電力、電流波形データから、店舗２０に設置された機器の劣化状況を評価する。
【００４３】
優先度設定部１３は、店舗２０の機器の劣化状況から、劣化が進み、交換・修理が必要と評価された機器について、当該機器の修理、交換の優先度を、例えば、
・当該機器の稼働率、
・店舗２０の情報（例えば店舗２０の売上高の予想データ又は売上高（実測値））、
の少なくとも一つに基づき、設定するようにしてもよい。
【００４４】
結果報告部１４は、修理、交換対象の機器とその優先度の情報（修理交換情報）を店舗ごとに作成し、通信部１７を介して、本部４０（管理センタ）に報告する。
【００４５】
記憶部１５は、例えばＨＤＤ（Ｈａｒｄ  Ｄｉｓｋ  Ｄｒｉｖｅ）装置あるいは一括消去型の電気的に書き換え可能なＲＯＭ（Ｒｅａｄ  Ｏｎｌｙ  Ｍｅｍｏｒｙ）からなるＳＳＤ（Ｓｏｌｉｄ  Ｓｔａｔｅ  Ｄｒｉｖｅ）等の半導体メモリを備えている。特に制限されないが、記憶部１５は、各部１１〜１４で取得又は生成した情報：例えば、
・店舗情報、
・店舗の消費電力、電流波形、
・機器情報、
・劣化情報、
・機器の修理、交換情報（優先度）
等を記憶保持する。
【００４６】
記憶部１５において、店舗情報は、クラウドサービスのクライアントである本部４０から、情報の一部を取得するようにしてもよい。なお、店舗の消費電力、電流波形は、店舗２０の通信装置２１から送信された情報を通信部１７で受信し、情報取得部１１で取得する。機器情報は、店舗２０に設置される機器を管理するための情報であり、本部４０から取得するようにしてもよい。劣化情報は、評価部１２の出力をそのまま用いるようにしてよい。機器の修理、交換情報の優先度は、優先度設定部１３で、修理、交換対象の機器に設定された優先度である。
【００４７】
記憶管理部１６は、記憶部１５に対するデータの書き込み、記憶部１５からのデータの読み出し（ＲＥＡＤ）を制御する。
【００４８】
制御部１８は、情報取得部１１、評価部１２、結果報告部１４の動作を制御する。図４において、情報取得部１１〜結果報告部１４、記憶管理部１６、制御部１８、通信部１７の一部は、ＥＭＳクラウドサーバ１０を構成する不図示のプロセッサ上で実行されるプログラムによりその機能を実現するようにしてもよい。この場合、当該プログラムを記憶部１５に記憶し、プロセッサが不図示の主メモリに該プログラムを読み出して実行するようにしてもよい。
【００４９】
図５（Ａ）は、図４のＥＭＳクラウドサーバ１０の構成の一例を模式的に例示する図である。なお、図５（Ａ）は、図４の詳細な一例を例示した図であり、図４と同一、同等の要素には同一の参照符号が付されている。以下では、図５（Ａ）を参照して、図４との相違点について説明する。情報取得部１１は、店舗２０の通信装置２１から送信される電流波形を取得する電流波形取得部１１１を備えている。評価部１２は、機器分離部１２１、劣化状況評価部１２２と、稼働率取得部１２３を備えている。
【００５０】
電流波形取得部１１１は、店舗２０の通信装置２１から、例えば周期的に所定時間区間（time interval）の消費電力、電流波形を取得するようにしてもよい。あるいは２４時間営業の店舗２０の場合、例えば、朝、午前、昼、午後、夕方、夜間のそれぞれについて予め定められた一定時刻に、店舗２０の通信装置２１からの所定時間区間の消費電力、電流波形を取得するようにしてもよい。店舗２０の通信装置２１側からの起動で、ＥＭＳクラウドサーバ１０側に、取得した消費電力、電流波形を送信するようにしてもよい。あるいは、逆に、ＥＭＳクラウドサーバ１０側からの起動で、店舗２０の通信装置２１は、消費電力、電流波形をＥＭＳクラウドサーバ１０に送信するようにしてもよい。例えば電流波形取得部１１１から店舗２０の通信装置２１に対して、消費電力、電流波形の要求を送信し、該要求を受けた店舗２０の通信装置２１が、通信装置２１で記憶保持している消費電力、電流波形をＥＭＳクラウドサーバ１０に送信するようにしてもよい。あるいは、該要求を受けた店舗２０の通信装置２１が、電流センサ２３等（図２（Ａ））に電流波形の測定を要求し、測定された電流波形をＥＭＳクラウドサーバ１０に送信するようにしてもよい。
【００５１】
機器分離部１２１は、店舗２０の通信装置２１から送信される店舗２０の全体の電流波形から、例えば非特許文献１、２等に開示されている機器分離技術等により、機器毎の電流波形に分離するようにしてもよい。なお、図３（Ａ）、図３（Ｂ）のように、店舗２０の通信装置２１が、個々の機器の電流波形を取得し、ＥＭＳクラウドサーバ１０に送信する構成の場合、機器分離部１２１による電流波形の分離は不要である。
【００５２】
劣化状況評価部１２２は、機器分離部１２１で分離された機器毎の電流波形、あるいは、通信装置２１から送信された機器毎の電流波形に基づき、機器の劣化状況を推定する。例えば空調・冷凍機器等では、コンプレッサ等において不良・経年劣化等により、冷媒ガスの圧縮効率が低下すると、設定温度に到るまでの高速運転時間が長くなり、消費電力が増大する。また、空調・冷凍機器等において、設定温度を維持するための低速運転の時間が稼働時間のほとんどを占めることから、低速運転の効率が悪くなると、消費電力は著しく増大する。このように、評価対象機器の消費電力パターンや分布が、標準から大きく外れている場合、機器の劣化が進んでいることがわかる。劣化状況評価部１２２は、評価対象機器の消費電力の標準からのズレの度合を数値化して劣化状況を表すようにしてもよい。
【００５３】
劣化状況評価部１２２は、機器の動作切り替え時等の電流波形パターンの特徴的な変化を利用して、機器の故障、不良状態を推定するようにしてもよい。劣化状況評価部１２２は、電流波形パターンの標準からのズレの程度（例えばセットリングタイムが大幅に遅れる等）を、グループ分け又は数値化して劣化状況を表すようにしてもよい。
【００５４】
劣化状況評価部１２２は、
・機器の経年変化と消費電力の関係、
・気温と機器の消費電力の対応、
・来客数、
・店舗規模、
・売上高、
等に基づき、機器毎の劣化の程度を評価するようにしてもよい。
【００５５】
上記機器の経年変化と消費電力に関して、劣化状況評価部１２２は、機器の消費電力の実測値から、機器の経年変化による消費電力の増大を考慮して機器の劣化の状況を評価するようにしてもよい。例えばエアコン等の空調設備では経年変化により消費電流は５年で例えば２０％程度、１０年で例えば５０％程度増加するともいわれている。したがって、評価対象の機器がエアコン等の空調設備の場合、その消費電力の実測値が、経年変化による消費電力の標準的な変動範囲内にあれば、劣化状況評価部１２２は、経年変化による劣化と判断し、標準的な変動範囲から顕著に外れている場合には（例えば統計的に他の値から大きく外れた値の場合）、経年変化による劣化以外に、不良又は故障があるものと判断する。あるいは、評価対象の機器が冷凍機の場合、劣化状況評価部１２２は、前述した非特許文献４に記載された、気温と冷凍機の消費電力の関係（消費電力増大率）等に基づき、機器（例えば冷凍機）の劣化状況を評価するようにしてもよい。また、評価対象の機器がドア開閉器である場合、消費電力の解析に来客数を変数としてもよい。すなわち、来客数が他の店舗と比べて多い店舗では、ドア開閉器の開閉回数が多くなり消費電力（累算値）も増大する。したがって、劣化状況評価部１２２では、来客数等を考慮してドア開閉器の消費電力から劣化状況を評価するようにしてもよい。
【００５６】
また、劣化状況評価部１２２は、機器の劣化の有無について、統計的な検定を行うようにしてもよい。
【００５７】
あるいは、店舗規模、立地、売上高、来客数のほぼ同じ店舗同士（似たもの同士）を、同一のグループ（クラスタ）に類別するようにしてもよい。この場合、劣化状況評価部１２２は、劣化状況の評価対象の機器が設置された店舗について、評価対象の機器の消費電力を、例えば、当該店舗が属するグループと同一グループに属する店舗における対応機器の同一時間帯での消費電力を基準として比較することで、当該機器の消費電力の異常、劣化状況を評価するようにしてもよい。この場合、劣化状況評価部１２２は、評価対象の機器の消費電力の所定時間区間の時系列データを、当該評価対象の機器が設置された店舗と同一グループに属する店舗における対応機器の同一時間帯での消費電力の時系列データと比較するようにしてもよい。劣化状況評価部１２２は、評価対象の機器の消費電力の統計値（平均、分散）と、評価対象の機器が設置された店舗と同一グループに属する複数の店舗における対応機器の同一時間帯での消費電力の統計値（平均、分散）を比較するようにしてもよい。
【００５８】
劣化状況評価部１２２は、劣化が進んだ状況にあると評価された機器を、交換対象、修理対象機器として選択する。なお、照明器具等は機器の交換となるが、空調機器等は、空調機器全体の交換ではなく、例えばコンプレッサ又は室外機の修理又は部品交換となる場合がある。劣化状況評価部１２２は、機器の劣化の状況を、例えば１段階から５段階というように、数値で表すようにしてもよい。
【００５９】
稼働率取得部１２３は、店舗２０の通信装置２１から送信された機器毎の稼働率情報に基づき、機器の稼働率を取得するようにしてもよい。例えば、店舗２０の機器が、図３（Ａ）のスマートタップ２５Ａ〜２５Ｃを介して宅内コンセントに接続する構成、又は図３（Ｂ）の電力計測機能及び通信機能付きの機器２６Ａ〜２６Ｃの場合、スマートタップ２５Ａ〜２５Ｃ又は機器２６Ａ〜２６Ｃから、それぞれの機器の稼働率（例えば動作時間の割合）を通信装置２１に送信し、通信装置２１から、ＥＭＳクラウドサーバ１０に送信するようにしてもよい。
【００６０】
あるいは、稼働率取得部１２３は、例えば機器分離技術で分離された機器毎の電流波形データの特徴的な波形等に基づき、機器の動作、停止等を推定し、稼働率を取得するようにしてもよい。
【００６１】
優先度設定部１３は、劣化状況評価部１２２で評価された機器の劣化状況と、稼働率取得部１２３で取得された当該機器の稼働率に基づき、修理、交換の優先度を設定する。優先度の高い機器から、修理、交換が行われる。なお、優先度は、数値であってもよいし、Ａランク、Ｂランク等のランク付けやカテゴリ分けであってもよい。優先度設定部１３は、修理、交換対象の機器を、優先度だけではなく、ランク付けやカテゴリごとに分類してもよい。
【００６２】
優先度設定部１３は、１つの店舗の中での機器の稼働率に基づいて修理、交換の優先度を設定するようにしてもよい。例えば、１つの店舗内の互いに異なる種別の機器（各一台）についてそれぞれの稼働率に応じて優先度を付与してもよい。あるいは、１つの店舗内に設置される同一又は同一種類の複数の機器についてそれぞれの稼働率に応じて優先度を付与するようにしてもよい。
【００６３】
あるいは、優先度設定部１３は、複数の店舗の中での稼働率に基づいて修理、交換の優先度を設定するようにしてもよい。この場合、複数の店舗にそれぞれ設置される同一又は同一種類の機器についてそれぞれの稼働率に応じて優先度を付与するようにしてもよい。例えばある店舗Ａでのコーヒーメーカー（コーヒーマシン）の稼働率が、別の店舗Ｂでのコーヒーメーカーの稼働率よりも高い場合、店舗Ａのコーヒーメーカー（コーヒーマシン）の修理、交換の優先度を高くしてもよい。あるいは、複数の店舗にそれぞれ設置される異なる種別の複数の機器についてそれぞれの稼働率に応じて優先度を付与するようにしてもよい。
【００６４】
優先度設定部１３は、例えば機器の劣化が進んでおり（機器の劣化の状況が４又は５段階）、当該機器の稼働率が高い場合、当該機器の修理、交換の優先度を高くしてもよい。
【００６５】
あるいは、優先度設定部１３は、機器の劣化が進んでいなくても、店舗内での機器の稼働率が高い機器ほど、修理、交換の優先度を高くしてもよい。
【００６６】
あるいは、優先度設定部１３は、稼働率が低い機器に対して、優先度を高く設定し、稼働率が低い機器から、優先的に修理、交換するようにしてもよい。これは、機器が動作していない期間を選択して当該機器の修理、交換を行うように誘導するものである。
【００６７】
本実施形態では、優先度設定部１３の変形例として、機器の稼働率のかわりに、店舗間の売上予測情報等に基づき、機器の修理、交換の優先度を設定するようにしてもよい。すなわち、図５（Ｂ）に示すように、評価部１２は、機器分離部１２１、劣化状況評価部１２２と、売上予測部１２４を備えている。
【００６８】
優先度設定部１３は、劣化状況評価部１２２からの機器の劣化状況と、売上予測部１２４で取得された店舗の売上予測情報に基づき、機器の修理、交換の優先度を設定する。
【００６９】
売上予測部１２４では、ＥＭＳクラウドサーバ１０がそれまでに取得した当該店舗２０の売上情報から、回帰分析（近似曲線のカーブフィッティング）等の手法により、今後の売上を予測するようにしてもよい。あるいは、売上予測部１２４は、クラウドサービスのクライアントである本部４０（図１）から店舗間の売上予測を、情報取得部１１を介して取得するようにしてもよい。売上予測部１２４は、複数の店舗２０の売上予測情報を取得し、優先度設定部１３は、売上予測部１２４で取得された複数の店舗２０の売上予測情報に基づき、機器の修理、交換の優先度を設定するようにしてもよい。なお、この場合も、優先度は数値であってもよいしランク付けやカテゴリ分けであってもよい。優先度設定部１３は、修理、交換対象の機器を、優先度だけではなく、ランク付けやカテゴリごとに分類してもよい。
【００７０】
あるいは、図５（Ｂ）において、売上予測部１２４は、例えば店舗２０のＰＯＳ情報を収集することで売上高の実測値を取得し、優先度設定部１３は、売上高の実測値に基づき、機器の修理、交換の優先度を設定するようにしてもよい。
【００７１】
優先度設定部１３は、機器の劣化状況が進んでいなくても、売上高の増加が予測される店舗について、当該店舗の機器の修理、交換の優先度を高くするようにしてもよい。  
【００７２】
優先度設定部１３のさらなる変形例として、機器の劣化状況と、機器の稼働率と、店舗間の売上予測に基づき、機器の修理、交換の優先度を設定するようにしてもよい。
【００７３】
あるいは、優先度設定部１３は、劣化した機器の分類が何であるかに応じて、機器の修理、交換の優先度を設定するようにしてもよい。例えば、空調設備や、冷凍・冷蔵設備は、店舗２０での消費電力の大半を占めることが知られている。また、冷凍設備の障害復旧の遅れ如何では、陳列商品（冷凍食品等）を全てダメにしてしまう可能性もある。そこで、優先度設定部１３は、冷凍・冷蔵設備、空調設備等の機器の修理、交換を、他の機器の修理、交換に対して優先して行うように、その優先度を設定してもよい。すなわち、優先度設定部１３は、機器の分類に応じて優先度を設定するようにしてもよい。
【００７４】
結果報告部１４は、修理交換情報生成部１４１と修理交換情報送信部１４２を備えている。修理交換情報生成部１４１は、機器の修理交換情報を作成する。特に制限されるものではないが、機器の修理交換情報は、例えば修理、交換対象の機器が設置された店舗情報と、当該機器の情報、優先度を含む。修理交換情報送信部１４２は、機器の修理交換情報を、通信部１７を介して、本部４０に送信する。
【００７５】
図６（Ａ）は、図４又は図５（Ａ）の記憶部１５に記憶される店舗情報の一例を例示する図である。特に制限されないが、店舗情報は、識別情報（ＩＤ）、店舗名（名前）、住所、立地、売場面積、駐車場、売上高、来客数、機器情報等を備えている。機器情報は、図６（Ｂ）に示すように、機器ＩＤ、分類、機器名、品番、設置場所（オプション）、履歴、公称電力、稼働率、消費電力の欄を含む。なお、消費電力の欄は、実データのかわりに、消費電力の時系列データ又は電流波形データの配置場所（レコードデータ又はファイル等）をポイントする構成としてもよい。なお、図６（Ａ）の店舗情報の少なくとも１つの項目は、前述した店舗のグループ（クラスタ）への類別や売上予測に用いてもよい。
【００７６】
図６（Ｃ）は、図５（Ａ）の修理交換情報生成部１４１で作成された修理交換情報（修理交換対象機器と優先度と店舗）の一例を例示する図である。特に制限されないが、修理交換情報には、機器の修理交換が行われる店舗のＩＤ、店舗名、修理交換対象機器、機器ＩＤ、名前、品番、設置場所、修理交換の優先度が設定されている。Ａ店の空調機器ＡＣ２の修理交換の優先度が高く設定されている。なお、優先度は、高、中、低の３段階以外に、例えば０〜１０の範囲の数値であってもよい。図６（Ｃ）の修理交換情報が、図５（Ａ）の修理交換情報送信部１４２によって図１の本部４０に送信される。
【００７７】
次に、本実施形態の動作を説明する。図７は、図５（Ａ）を参照して説明した本実施形態におけるＥＭＳクラウドサーバ１０（電流波形に基づき機器分離を行う構成）の動作の一例を説明する流れ図である。
【００７８】
ＥＭＳクラウドサーバ１０は、店舗２０の通信装置２１から、分電盤の主幹又は分岐ブレーカの電流波形データを取得する（Ｓ１１）。
【００７９】
ＥＭＳクラウドサーバ１０の機器分離部１２１は、機器分離技術により、各機器の電流波形に分離する（Ｓ１２）。
【００８０】
ＥＭＳクラウドサーバ１０の劣化状況評価部１２２は、各機器の劣化状況を評価する（Ｓ１３）。
【００８１】
ＥＭＳクラウドサーバ１０の優先度設定部１３は、修理、交換の対象となる機器に対して、修理、交換の優先度を設定する（Ｓ１４）。
【００８２】
ＥＭＳクラウドサーバ１０の修理交換情報生成部１４１は、機器の修理、交換情報の報告を作成する（Ｓ１５）。
【００８３】
ＥＭＳクラウドサーバ１０の修理交換情報送信部１４２は、機器の修理、交換情報の報告（例えば図６（Ｃ））を本部４０へ送信する（Ｓ１６）。
【００８４】
図８は、図７の劣化状況の評価（Ｓ１３）の手順の一例を例示する流れ図である。
【００８５】
ＥＭＳクラウドサーバ１０の劣化状況評価部１２２は、例えば、店舗規模、立地、売上高、来客数についてほぼ同等（類似）の複数の店舗を同一のグループ（クラスタ）に類別する（Ｓ１３１）。あるいは、ステップＳ１３１の店舗のクラスタへの類別は、劣化状況評価部１２２で行う代わりに、ＥＭＳクラウドサーバ１０において、事前に行っておき、記憶部１５に記憶保持しておくようにしてもよい。あるいは、契約等で入手可能であれば、ＥＭＳクラウドサーバ１０は、店舗２０を統括する本部４０から、店舗２０をグループ（クラスタ）に類別した情報、又は関連情報を取得するようにしてもよい。
【００８６】
劣化状況評価部１２２は、評価対象の機器が設置された店舗と同一のグループに属する少なくとも１つの店舗の対応機器の消費電力（例えば消費電力量へ換算した値）を取得する（Ｓ１３２）。
【００８７】
ＥＭＳクラウドサーバ１０の劣化状況評価部１２２は、劣化状況の評価対象の機器について、同一グループの店舗における対応機器の消費電力量等と比較する（Ｓ１３３）。
【００８８】
ＥＭＳクラウドサーバ１０の劣化状況評価部１２２は、評価対象の機器の消費電力量が、同一グループの対応機器の消費電力量よりも、例えば予め定められた所定比率大きい場合、評価対象の機器は劣化しているものと評価する（Ｓ１３４）。なお、劣化状況評価部１２２は、評価対象の機器の消費電力量を、同一グループの複数の店舗における複数の対応機器の消費電力量を平均した値と比較するようにしてもよい。劣化状況評価部１２２は、劣化の度合い（劣化の進行度）を、評価対象の機器の消費電力量Ｗ１の同一グループの対応機器の消費電力量Ｗｒｅｆの比率やその統計処理結果等に基づき算出するようにしてもよい。例えば、比率：Ｗ１／Ｗｒｅｆ×１００が、１１０％、１２０％、１３０％、・・・等に応じて、劣化の状態が進んでいることを示す数値又はランクを設定するようにしてもよい。
【００８９】
上記実施形態によれば、ＥＭＳクラウドサーバ１０は、店舗２０に設置される機器の劣化が進み故障が発生する前に、例えば劣化が進み修理又は交換を要する機器の情報を、修理又は交換の優先度情報を付与して本部４０に提示することで、店舗等での営業活動状況等を考慮して、機器の適確な修理、交換を可能とし、突然の機器の故障等による営業損失の発生を回避可能としている。
【００９０】
上記実施形態では、インターネット等に接続しクラウドサービスを提供するＥＭＳクラウドサーバ１０に機器管理装置を実装した例に即して説明したが、機器管理装置は、店舗の機器の消費電力、電流波形等を取得可能であるノードであれば、任意のネットワークノードに実装してもよい。
【００９１】
上記実施形態では、通信装置２１をＨＥＭＳコントローラで構成し、例えばスマートメータ３１の検針データ（消費電力等）をＢルート等からリアルタイムで取得するいくつかの例について説明したが、ＥＭＳクラウドサーバ１０又は本部４０は、電力供給事業主３０が店舗２０のスマートメータ３１からＡルート経由で取得した検針データ（消費電力等）を店舗２０の消費電力として取得するようにしてもよい。例えばＥＭＳクラウドサーバ１０又は本部４０は、電力供給事業主３０の情報提供サイトにアクセスし店舗２０の消費電力（又はその推移情報等）を取得するようにしてもよい（ただし、リアルタイム情報ではなく、１時間前後の消費電力情報となる）。
【００９２】
なお、上記の特許文献１、２、非特許文献１−４の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ乃至選択が可能である。すなわち、本発明は、請求の範囲を含む全開示、技術的思想にしたがって当業者であればなし得るであろう各種変形、修正を含むことは勿論である。
【００９３】
上記した実施形態は以下のように付記される（ただし、以下に制限されない）。
【００９４】
（付記１）
機器の消費電力と電流波形の少なくとも一方に基づき、前記機器の劣化状況を評価する第１の手段と、
前記劣化状況に基づき、修理又は交換対象となる機器に対して、修理又は交換の優先度（数値以外に、例えばランク付け、カテゴリ分けも含み得る）を設定する第２の手段と、
を備えた、ことを特徴とする機器管理装置。
【００９５】
（付記２）
前記第１の手段は、
少なくとも一つの店舗に配備された１つ又は複数の機器に対して劣化状況を評価し、
前記第２の手段は、
前記機器の劣化状況と前記店舗での前記機器の稼働率、及び、
前記機器の劣化状況と前記店舗の情報、
の少なくとも一方に基づき、
前記機器の修理又は交換の優先度を設定する、ことを特徴とする付記１記載の機器管理装置。
【００９６】
（付記３）
前記第２の手段は、
前記機器の劣化状況と前記店舗での前記機器の稼働率とに基づき、
前記店舗内での前記機器の修理又は交換の優先度を設定する、ことを特徴とする付記２記載の機器管理装置。
【００９７】
（付記４）
前記第１の手段は、
複数の店舗にそれぞれ配備された複数の機器に対して各々の劣化状況を評価し、
前記第２の手段は、
前記機器の劣化状況と前記店舗の情報、若しくは、
前記機器の劣化状況と前記機器の稼働率と、
に基づき、
複数の店舗間における前記機器の修理又は交換の優先度を設定する、ことを特徴とする付記１乃至３のいずれか一に記載の機器管理装置。
【００９８】
（付記５）
前記店舗の情報は、前記店舗の売上高又はその予測を含む、ことを特徴とする付記２又は４記載の機器管理装置。
【００９９】
（付記６）
前記第２の手段は、さらに、消費電力に基づいて設定された機器の分類に基づいて、前記機器の修理又は交換の優先度を設定する、ことを特徴とする付記１又は２記載の機器管理装置。
【０１００】
（付記７）
前記第１の手段は、同一グループに分類される店舗のうち、少なくとも一つの他の店舗に配備される対応機器の消費電力と電流波形の少なくとも一方との比較に基づき、前記機器の劣化状況を導出する、ことを特徴とする付記１乃至６のいずれか一に記載の機器管理装置。
【０１０１】
（付記８）
前記修理又は交換対象となる機器を前記優先度とともに、前記店舗を統括する本部に送信する第３の手段をさらに備えた、ことを特徴とする付記１乃至７のいずれか一に記載の機器管理装置。
【０１０２】
（付記９）
付記１乃至８のいずれか一に記載の機器管理装置を備え、前記機器を設置する店舗の通信装置と通信接続するサーバ装置。
【０１０３】
（付記１０）
店舗の通信装置と通信接続するサーバを備え、
前記店舗の通信装置は、
前記店舗の機器の消費電力と電流波形の少なくとも一方を前記サーバに送信し、
前記サーバは、
前記店舗の通信装置から送信された前記店舗の機器の消費電力と電流波形の少なくとも一方に基づき、前記機器の劣化状況を評価する第１の手段と、
前記劣化状況に基づき、修理又は交換対象となる機器に対して、修理又は交換の優先度（数値以外に、例えばランク付け、カテゴリ分けも含み得る）を設定する第２の手段と、
を備えた、ことを特徴とする機器管理システム。
【０１０４】
（付記１１）
前記第２の手段は、
前記機器の劣化状況と前記店舗での前記機器の稼働率、及び、
前記機器の劣化状況と前記店舗の情報、
の少なくとも一方に基づき、前記機器の修理又は交換の優先度を設定する、ことを特徴とする付記１０記載の機器管理システム。
【０１０５】
（付記１２）
前記第２の手段は、
前記機器の劣化状況と前記店舗での前記機器の稼働率とに基づき、
前記店舗内での前記機器の修理又は交換の優先度を設定する、ことを特徴とする付記１１記載の機器管理システム。
【０１０６】
（付記１３）
前記第２の手段は、
前記機器の劣化状況と前記店舗の情報、若しくは、
前記機器の劣化状況と前記機器の稼働率と、
に基づき、複数の店舗間における前記機器の修理又は交換の優先度を設定する、ことを特徴とする付記１０乃至１２のいずれか一に記載の機器管理システム。
【０１０７】
（付記１４）
前記店舗の情報は、前記店舗の売上高又はその予測を含む、ことを特徴とする付記１１記載の機器管理システム。
【０１０８】
（付記１５）
前記第２の手段は、消費電力に基づいて設定された機器の分類に基づいて、前記機器の修理又は交換の優先度を設定する、ことを特徴とする付記１０記載の機器管理システム。
【０１０９】
（付記１６）
前記第２の手段は、同一グループに分類される店舗のうち、少なくとも一つの他の店舗に配備される対応機器の消費電力と電流波形の少なくとも一方との比較に基づき、前記機器の劣化状況を導出する、ことを特徴とする付記１０乃至１５のいずれか一に記載の機器管理システム。
【０１１０】
（付記１７）
前記サーバは、前記修理又は交換対象となる機器を前記優先度とともに、前記店舗を統括する本部に送信する第３の手段を備えた、ことを特徴とする付記１０乃至１６のいずれか一に記載の機器管理システム。
【０１１１】
（付記１８）
店舗の通信装置と通信接続するサーバが、
前記通信装置から送信された、前記店舗の機器の消費電力と電流波形の少なくとも一方を取得し、
前記機器の消費電力と電流波形の少なくとも一方に基づき、前記機器の劣化状況を評価し、
前記劣化状況から、修理又は交換対象となる機器に対して、修理又は交換の優先度（数値以外に、例えばランク付け、カテゴリ分けも含み得る）を設定する、ことを特徴とする機器管理方法。
【０１１２】
（付記１９）
前記機器の劣化状況と前記店舗での前記機器の稼働率、及び、
前記機器の劣化状況と前記店舗の情報、
の少なくとも一方に基づき、
前記機器の修理又は交換の優先度を設定する、ことを特徴とする付記１８記載の機器管理方法。
【０１１３】
（付記２０）
前記機器の劣化状況と前記店舗での前記機器の稼働率とに基づき、
前記店舗内での前記機器の修理又は交換の優先度を設定する、ことを特徴とする付記１９記載の機器管理方法。
【０１１４】
（付記２１）
前記機器の劣化状況と前記店舗の情報、若しくは、
前記機器の劣化状況と前記機器の稼働率、
に基づき、複数の店舗間における前記機器の修理又は交換の優先度を設定する、ことを特徴とする付記１８乃至２０のいずれか一に記載の機器管理方法。
【０１１５】
（付記２２）
前記店舗の情報は、前記店舗の売上高又はその予測を含む、ことを特徴とする付記１９又は２１記載の機器管理方法。
【０１１６】
（付記２３）
消費電力に基づいて設定された機器の分類に基づいて、前記機器の修理又は交換の優先度を設定する、ことを特徴とする付記１８記載の機器管理方法。
【０１１７】
（付記２４）
機器の消費電力と電流波形の少なくとも一方の情報に基づき、前記機器の劣化状況を評価する第１の処理と、
前記劣化状況から、修理又は交換対象となる機器に対して、修理又は交換の優先度を設定する第２の処理と、
をコンピュータに実行させるプログラム。
【０１１８】
（付記２５）
前記第１の処理は、
少なくとも一つの店舗に配備された１つ又は複数の機器に対して劣化状況を評価し、
前記第２の処理は、
前記機器の劣化状況と前記店舗での前記機器の稼働率、及び、
前記機器の劣化状況と前記店舗の情報、
の少なくとも一方に基づき、
前記機器の修理又は交換の優先度（数値以外に、例えばランク付け、カテゴリ分けも含み得る）を設定する、付記２４記載のプログラム。
【０１１９】
（付記２６）
前記第２の処理は、
前記機器の劣化状況と前記店舗での前記機器の稼働率とに基づき、
前記店舗内での前記機器の修理又は交換の優先度を設定する、付記２５記載のプログラム。
【０１２０】
(付記２７）
前記第１の処理は、
複数の店舗にそれぞれ配備された複数の機器に対して各々の劣化状況を評価し、
前記第２の処理は、
前記機器の劣化状況と前記店舗の情報、若しくは、
前記機器の劣化状況と前記機器の稼働率と、
に基づき、
複数の店舗間における前記機器の修理又は交換の優先度を設定する、付記２４乃至２６のいずれか一に記載のプログラム。
【０１２１】
(付記２８）
前記店舗の情報は、前記店舗の売上高又はその予測を含む、付記２５又は２７記載のプログラム。
【０１２２】
(付記２９）
前記第２の処理は、さらに、消費電力に基づいて設定された機器の分類に基づいて、前記機器の修理又は交換の優先度を設定する、ことを特徴とする付記２４又は２５記載のプログラム。
【０１２３】
(付記３０）
前記第１の処理は、同一グループに分類される店舗のうち、少なくとも一つの他の店舗に配備される対応機器の消費電力と電流波形の少なくとも一方との比較に基づき、前記機器の劣化状況を導出する、付記２４乃至２９のいずれか一に記載のプログラム。
【０１２４】
(付記３１）
前記修理又は交換対象となる機器を前記優先度とともに、前記店舗を統括する本部に送信する第３の処理を前記コンピュータに実行させる付記２４乃至３０のいずれか一に記載のプログラム。
【符号の説明】
【０１２５】
１０  サーバ（ＥＭＳクラウドサーバ）
１１  情報取得部
１２  評価部
１３  優先度設定部
１４  結果報告部
１５  記憶部
１６  記憶管理部
１７  通信部
１８  制御部
２０  店舗
２１  通信装置
２２  分電盤
２３  電流センサ
２４Ａ〜２４Ｃ  機器
２５Ａ〜２５Ｃ  スマートタップ
２６Ａ〜２６Ｃ  電力計測機能及び通信機能付き機器
３０  電力供給事業主
３１  メータ（スマートメータ）
４０  本部（管理センタ）
５０  保守サービス業者
６０  インターネット（ネットワーク）
１００  機器管理装置
１０１  評価部
１０２  優先度設定部
１１１  電流波形取得部
１２１  機器分離部
１２２  劣化状況評価部
１２３  稼働率取得部
１２４  売上予測部
１４１  修理交換情報生成部
１４２  修理交換情報送信部
【図１】
2017047721.tif 000003
【図２】
2017047721.tif 000004
【図３】
2017047721.tif 000005
【図４】
2017047721.tif 000006
【図５】
2017047721.tif 000007
【図６】
2017047721.tif 000008
【図７】
2017047721.tif 000009
【図８】
2017047721.tif 000010
【図９】
2017047721.tif 000011
【国際調査報告】
2017047721.tif 000012
2017047721.tif 000013
2017047721.tif 000014